(57)【要約】【課題】シューズ内部の湿気を効果的に減少させることができ、シューズの内部空間を快適なものにすることができるミッドソール構造を提供する。【解決手段】シューズのミッドソール構造体１は、シューズの踵部分から前足部分にかけて延びる軟質弾性部材製のミッドソール３と、ミッドソール３の足裏当接側の面に形成された凹部３ａに装着された吸湿放湿体４と、一端が吸湿放湿体４の側に開口しかつ他端がシューズ外部に開口する通気孔３ｂとを有する。吸湿放湿体４は、シューズ内部の湿気を吸収して放出させることができる、架橋構造のポリアクリレート繊維などの吸湿放湿性繊維からなる吸湿放湿層を含んでいる。また、吸湿放湿体４の上面には、中底６の下面が接触しており、中底６の上には中敷７が配置されている。【選択図】    図１
2004283430.tif 000002
【特許請求の範囲】
【請求項１】
シューズのミッドソール構造であって、
着用者の足の踵部、土踏まず部および前足部にそれぞれ対応する踵部、中足部および前足部を有する軟質弾性部材製のミッドソールを備え、
シューズ内部の湿気を吸収しかつ放出させることができる吸湿放湿性繊維を含む吸湿放湿層を前記ミッドソールの足裏当接側の面に設けるとともに、一端が前記吸湿放湿層の側に開口しかつ他端がシューズ外部に開口する通気孔を前記ミッドソールに形成した、
ことを特徴とするシューズのミッドソール構造。
【請求項２】
請求項１において、
前記吸湿放湿層が、前記ミッドソールの前記足裏当接側の面に形成した凹部内に配置されている、
ことを特徴とするシューズのミッドソール構造。
【請求項３】
請求項１において、
前記吸湿放湿層が、前記ミッドソールの前記足裏当接側の面の上に配置されている、
ことを特徴とするシューズのミッドソール構造。
【請求項４】
請求項１ないし３のいずれかにおいて、
前記通気孔の前記他端が接地面側に開口している、
ことを特徴とするシューズのミッドソール構造。
【請求項５】
請求項１ないし３のいずれかにおいて、
前記通気孔の前記他端が、シューズの甲被部側に開口している、
ことを特徴とするシューズのミッドソール構造。
【請求項６】
請求項１ないし５のいずれかにおいて、
前記ミッドソールの上方に配置される中底が、吸湿放湿性繊維を含む吸湿放湿層を有している、
ことを特徴とするシューズのミッドソール構造。
【請求項７】
請求項６において、
前記中底の上方に配置される中敷が、吸湿放湿性繊維を含む吸湿放湿層を有している、
ことを特徴とするシューズのミッドソール構造。
【請求項８】
請求項１ないし７のいずれかにおいて、
前記吸湿放湿性繊維が、高架橋構造を有するとともに、カルボキシル基、水酸基およびアミド基のうちのいずれか一つ以上の官能基を含む合成繊維から構成されている、
ことを特徴とするシューズのミッドソール構造。
【請求項９】
請求項８において、
前記吸湿放湿性繊維が架橋構造のポリアクリレート繊維である、
ことを特徴とするシューズのミッドソール構造。
【請求項１０】
請求項１ないし７のいずれかにおいて、
前記吸湿放湿性繊維が、公定水分率１６％以上４５％以下の繊維から構成されている、
ことを特徴とするシューズのミッドソール構造。
【請求項１１】
請求項１ないし７のいずれかにおいて、
前記吸湿放湿性繊維が、温度２０℃で相対湿度０％の雰囲気から温度２０℃で相対湿度６５％の雰囲気に移行して６０分経過後に１６〜４５質量％の範囲に質量が増加するとともに、温度２０℃において相対湿度を８０％から４０％に変化させたときの放湿速度の方が、温度２０℃において相対湿度を４０％から８０％に変化させたときの吸湿速度よりも速くなっている、
ことを特徴とするシューズのミッドソール構造。
【請求項１２】
請求項１ないし７のいずれかにおいて、
前記吸湿放湿層が、架橋構造のポリアクリレート繊維の不織布から構成されている、
ことを特徴とするシューズのミッドソール構造。
【請求項１３】
請求項１ないし７のいずれかにおいて、
前記吸湿放湿層が、架橋構造のポリアクリレート繊維の不織布と疎水性繊維の不織布とから構成されている、
ことを特徴とするシューズのミッドソール構造。
【請求項１４】
請求項１ないし７のいずれかにおいて、
前記吸湿放湿層が、架橋構造のポリアクリレート繊維および疎水性繊維の混紡体から構成されている、
ことを特徴とするシューズのミッドソール構造。
【請求項１５】
請求項１ないし７のいずれかにおいて、
前記吸湿放湿性繊維が架橋構造のポリアクリレート繊維であって、前記吸湿放湿層の上面には、疎水性繊維からなる表面層が接合されている、
ことを特徴とするシューズのミッドソール構造。
【請求項１６】
請求項１５において、
前記吸湿放湿層の繊維密度が相対的に密で、前記表面層の繊維密度が相対的に疎になっている、
ことを特徴とするシューズのミッドソール構造。
【請求項１７】
請求項１５において、
前記吸湿放湿層の下面には、親水性繊維または疎水性繊維からなる拡散層が接合されている、
ことを特徴とするシューズのミッドソール構造。
【請求項１８】
請求項１５または１７において、
前記疎水性繊維が、ポリエステル、ポリエチレン、ポリプロピレン、ポリアクリルニトリル、ポリ塩化ビニル、ビニロン、ポリ塩化ビニリデン、酸化アセテートまたはナイロンの中から選択されたいずれか一つ以上の繊維を含んでいる、
ことを特徴とするシューズのミッドソール構造。
【請求項１９】
請求項１７において、
前記親水性繊維が、レーヨン、キュプラ、絹、綿、麻または羊毛の中から選択されたいずれか一つ以上の繊維を含んでいる、
ことを特徴とするシューズのミッドソール構造。
【発明の詳細な説明】
【０００１】
【発明の属する技術分野】
本発明は、シューズのミッドソール構造に関し、詳細には、シューズ内部の湿気を効果的に減少させてシューズの内部空間を快適なものにするための構造の改良に関する。
【０００２】
【従来の技術およびその課題】
シューズの通気構造として、たとえば実用新案登録第３０３４１７９号公報に示すようなものが提案されている。この通気構造は、中底、ミッドソールおよびアウトソールにそれぞれ通気孔を形成するとともに、アウトソールおよびミッドソール間に、撥水処理した不織布を配置することにより構成されている。
【０００３】
この場合には、各通気孔および不織布を介して、シューズ内部の通気を行うとともに、シューズ内部への水の浸入は、不織布により遮断しようとしている。
【０００４】
【特許文献１】
実用新案登録第３０３４１７９号公報（段落番号［００２６］参照）
【０００５】
しかしながら、上記公報記載の通気構造においては、シューズ内部の湿気は、通気孔を介してのみ不織布に到達するように構成されているため、シューズ内部の湿気を効果的に減少させるには限界がある。
【０００６】
本発明は、このような従来の実情に鑑みてなされたもので、シューズ内部の湿気を効果的に減少させることができ、シューズの内部空間を快適なものにすることができるシューズのミッドソール構造を提案することを目的とする。
【０００７】
【課題を解決するための手段】
請求項１の発明に係るシューズのミッドソール構造は、着用者の足の踵部、土踏まず部および前足部にそれぞれ対応する踵部、中足部および前足部を有する軟質弾性部材製のミッドソールを備えており、ミッドソールの足裏当接側の面には、シューズ内部の湿気を吸収しかつ放出させることができる吸湿放湿性繊維を含む吸湿放湿層が設けられている。またミッドソールには、一端が吸湿放湿層の側に開口し、他端がシューズ外部に開口する通気孔が形成されている。
【０００８】
請求項１の発明によれば、吸湿放湿層がミッドソールの足裏当接側の面に配置されて足裏当接側に露出しており、シューズ内部の湿気は、通気孔などを介さずに、直接吸湿放湿層に速やかに吸収されるようになる。これにより、シューズ内部の湿気を効果的に減少させることができる。また、この場合には、吸湿放湿層が吸湿放湿性繊維を含んでいることにより、吸湿放湿層に吸収された湿気は、ミッドソールに形成された通気孔を介して速やかに外部に放出される。このようにして、シューズ内部の湿気が効果的に外部に放出されるので、シューズの内部空間を常時快適なものにすることができるようになる。
【０００９】
請求項２の発明においては、吸湿放湿層がミッドソールの足裏当接側の面に形成された凹部内に配置されている。この場合には、一般に、ミッドソールがある程度の厚みを有していることにより、吸湿放湿層としての厚みを確保でき、これにより、吸湿量の絶対量を増大できる。
【００１０】
吸湿放湿層は、請求項３の発明に記載されているように、ミッドソールの足裏当接面の上に配置されるようにしてもよい。
【００１１】
請求項４の発明では、通気孔の他端が接地面側に開口している。この場合には、着地時または荷重移動時のように着用者の足から押付力が作用したときに、シューズ内部の湿気が、接地面側に押し出されやすくなっている。
【００１２】
請求項５の発明では、通気孔の他端がシューズの甲被部側に開口している。この場合には、シューズ外部の水分が通気孔の他端からシューズ内部に浸入しにくくなっている。
【００１３】
請求項６の発明では、ミッドソール上方の中底が、吸湿放湿性繊維を含む吸湿放湿層を有しており、さらに、請求項７の発明では、中底上方の中敷が、吸湿放湿性繊維を含む吸湿放湿層を有している。これらの場合には、シューズ内部の湿気が、中敷および中底から速やかにミッドソール側の吸湿放湿層に浸入するようになる。
【００１４】
請求項８の発明では、吸湿放湿性繊維が、高架橋構造を有するとともに、カルボキシル基、水酸基およびアミド基のうちのいずれか一つ以上の官能基を含む合成繊維から構成されている。
【００１５】
吸湿放湿性繊維は、請求項９の発明に記載されているように、架橋構造のポリアクリレート繊維であるのが好ましい。
【００１６】
請求項１０の発明では、吸湿放湿性繊維が、公定水分率１６％以上４５％以下の繊維から構成されている。ここで、「公定水分率」とは、標準状態（つまり温度２０℃、相対湿度６５％の状態）における水分率のことをいう。
【００１７】
請求項１１の発明においては、吸湿放湿性繊維が、温度２０℃で相対湿度０％の雰囲気（いわゆる絶乾状態）から温度２０℃で相対湿度６５％の雰囲気（標準状態）に移行して６０分経過後に１６〜４５質量％の範囲に質量が増加するとともに、温度２０℃において相対湿度を８０％から４０％に変化させたときの放湿速度の方が、温度２０℃において相対湿度を４０％から８０％に変化させたときの吸湿速度よりも速くなっている繊維から構成されている。
【００１８】
請求項１２の発明では、吸湿放湿層が架橋構造のポリアクリレート繊維の不織布から構成されている。
【００１９】
請求項１３の発明では、吸湿放湿層が、架橋構造のポリアクリレート繊維の不織布と疎水性繊維の不織布とから構成されており、また請求項１４の発明では、吸湿放湿層が、架橋構造のポリアクリレート繊維および疎水性繊維の混紡体から構成されている。これらの場合には、一般に高価なポリアクリレート繊維の量を減らすことでコストを低減できる。
【００２０】
請求項１５の発明では、吸湿放湿性繊維が架橋構造のポリアクリレート繊維であって、疎水性繊維からなる表面層が吸湿放湿層の上面に接合されている。この場合には、シューズ内部の湿気は、表面層で貯留されることなく、速やかに吸湿放湿層に到達する。また、疎水性繊維の内部に水溶性接着剤が浸入しにくいために、疎水性繊維と甲被部などの部材との接着性を向上できる。
【００２１】
請求項１６の発明では、吸湿放湿層の繊維密度が相対的に密で、表面層の繊維密度が相対的に疎になっている。この場合には、表面層と吸湿放湿層の密度の差による毛管現象および拡散作用の相乗作用によって、毛管拡散作用を向上できる。
【００２２】
請求項１７の発明では、親水性繊維または疎水性繊維からなる拡散層が吸湿放湿層の下面に接合されているので、一般に高価なポリアクリレート繊維の量を減らすことでコストを低減できる。
【００２３】
請求項１８の発明では、疎水性繊維が、ポリエステル、ポリエチレン、ポリプロピレン、ポリアクリルニトリル、ポリ塩化ビニル、ビニロン、ポリ塩化ビニリデン、酸化アセテートまたはナイロンの中から選択されたいずれか一つ以上の繊維を含んでいる。
【００２４】
請求項１９の発明では、親水性繊維が、レーヨン、キュプラ、絹、綿、麻または羊毛の中から選択されたいずれか一つ以上の繊維を含んでいる。
【００２５】
【発明の実施の形態】
以下、本発明の実施態様を添付図面に基づいて説明する。
〔第１の実施態様〕
図１は、本発明の第１の実施態様によるシューズのミッドソール構造を説明するための図であって、シューズの踵部の横断面を示している。図１に示すように、このミッドソール構造体１は、甲被部２の底部に固着されたミッドソール３を有している。ミッドソール３は、シューズの前後方向（図紙面垂直方向）に延びており、着用者の足の踵部、土踏まず部および前足部にそれぞれ対応する踵部、中足部および前足部を有している。ミッドソール３の左右両側縁部には、上方に立ち上がる巻上げ部３０が形成されており、各巻上げ部３０は、甲被部２の下部両側縁部に固着されている。
【００２６】
ミッドソール３は、たとえば、エチレン−酢酸ビニル共重合体（ＥＶＡ）等の熱可塑性合成樹脂の発泡体やポリウレタン（ＰＵ）等の熱硬化性樹脂の発泡体、ブタジエンラバーやクロロプレンラバー等のラバー素材の発泡体、またはラバーやエラストマーなどのような、クッション性を有する軟質弾性部材から構成されている。
【００２７】
ミッドソール３の上面つまり足裏当接側の面には、前後方向に延びる凹部３ａが形成されている。凹部３ａ内には、シューズ内部の湿気を吸収しかつ放出させることができる吸湿放湿性繊維からなる吸湿放湿層を含む吸湿放湿体４が設けられている。
【００２８】
ミッドソール３には、上下方向の通気孔３ｂが形成されている。通気孔３ｂの上側の開口端は吸湿放湿体４の下面に開口しており、下側の開口端はミッドソール３の下面つまり接地面の側に開口している。
【００２９】
ミッドソール３の下面には、アウトソール５が設けられている。アウトソール５の踵部は、ミッドソール３の踵部の外周に沿ってＵ字状に配設されており、中央に上下方向の貫通孔５ａを有している。
【００３０】
ミッドソール３の上方には、中底６が設けられており、中底６の端面は、甲被部２の底部２ａの端面と突き合わされて縫製されている。中底６の下面は、吸湿放湿体４の上面と接触している。中底６の上方には、中敷７が中底６と接触して設けられている。中底６および中敷７は、吸湿放湿体４と同様に、シューズ内部の湿気を吸収しかつ放出させることができる吸湿放湿性繊維からなる吸湿放湿層を含んでいるのが好ましい。
【００３１】
吸湿放湿体４、中底６および中敷７に用いられる吸湿放湿性繊維は、高架橋構造を有するとともに、カルボキシル基、水酸基およびアミド基のうちのいずれか一つ以上の官能基を含む合成繊維から構成されている。好ましくは、この吸湿放湿性繊維は、架橋構造のポリアクリレート繊維である。
【００３２】
別の観点から説明すると、この吸湿放湿性繊維は、公定水分率１６％以上４５％以下の繊維から構成されている。ここで、「公定水分率」とは、標準状態（つまり温度２０℃、相対湿度６５％の状態）における水分率のことをいう。好ましくは、この吸湿放湿性繊維としては、温度２０℃で相対湿度０％の雰囲気から温度２０℃で相対湿度６５％の雰囲気に移行して６０分経過後に１６〜４５質量％の範囲に質量が増加するとともに、温度２０℃において相対湿度を８０％から４０％に変化させたときの放湿速度の方が、温度２０℃において相対湿度を４０％から８０％に変化させたときの吸湿速度よりも速くなっているものが用いられる。
【００３３】
より具体的には、吸湿放湿体４、中底６および中敷７は、架橋構造のポリアクリレート繊維の不織布から構成されているのが好ましい。吸湿放湿体４、中底６および中敷７は、より好ましくは、架橋構造のポリアクリレート繊維の不織布と疎水性繊維の不織布とから構成されている。この場合、ウィッキング性能（吸い上げ能力）を上げるために、各不織布は、高周波ウェルダー法、超音波ウェルダ法などのようなウェルダー加工やパンチング加工によって、部分的に点融着または線融着されて一体化される。また、吸湿放湿体４、中底６および中敷７は、架橋構造のポリアクリレート繊維および疎水性繊維の混紡体から構成するようにしてもよい。
【００３４】
吸湿放湿体４、中底６および中敷７において、架橋構造のポリアクリレート系繊維からなる吸湿放湿層の上面には、疎水性繊維からなる表面層を配置するようにしてもよい。なお、このとき、吸湿放湿層の繊維密度が相対的に密で、表面層の繊維密度が相対的に疎になっている方が好ましい。これは、表面層と吸湿放湿層の密度の差による毛管現象および拡散作用の相乗作用によって、毛管拡散作用を向上させるためである。また、親水性繊維（または疎水性繊維）からなる拡散層を吸湿放湿層の下層に配置するようにしてもよい。この場合においても、同様に、吸湿放湿層の繊維密度が相対的に疎で、拡散層の繊維密度が相対的に密になっている方が好ましい。さらに、中敷７の下層には、ＰＥＴ不織布などを配置するようにしてもよい。
【００３５】
疎水性繊維としては、ポリエステル（０．４％）、ポリエチレン（０％）、ポリプロピレン（０％）、ポリアクリルニトリル（２．０％）、ポリ塩化ビニル（０％）、ビニロン（５．０％）、ポリ塩化ビニリデン（０％）、酢化アセテート（５．０％）またはナイロン（４．５％）の中から選択されたいずれか一つ以上の繊維を含んでいるのが好ましい。なお、括弧中の数字は、それぞれの繊維の公定水分率を示している。
【００３６】
また、親水性繊維としては、レーヨン（１１．０％）、キュプラ（１１．０％）、絹（１２．０％）、綿（８．５％）、麻（１２．０％）または羊毛（１５．０％）の中から選択されたいずれか一つ以上の繊維を含んでいるのが好ましい。同様に、括弧中の数字は、それぞれの繊維の公定水分率を示している。
【００３７】
なお、疎水性繊維からなる表面層を吸湿放湿体４の上面に配置することにより、甲被部２の底部２ａとの接着の際に水溶性接着剤を用いた場合に、接着剤が吸湿放湿体４の内部に滲み込みにくくなって甲被部底部２ａとの接着性を向上できる。また、疎水性繊維からなる表面層を中敷７の上層に配置することにより、シューズ内部で着用者の足裏が接触した際に中敷表面のべとつき感がなくなって、さらさら感を実現できる。
【００３８】
上記構成になるミッドソール構造体１においては、吸湿放湿性繊維を含む吸湿放湿体４がミッドソール３の足裏当接側の面に配置されて足裏当接側に露出するとともに中底６の下面と密着しており、このため、シューズ内部の湿気は、通気孔などを介さずに、中敷７および中底６から直接吸湿放湿体４に速やかに吸収されるようになる。これにより、シューズ内部の湿気を効果的に減少させることができる。一方、吸湿放湿体４に吸収された湿気は、ミッドソール３に形成された通気孔３ｂを介して速やかに外部に放出される。このようにして、シューズ内部の湿気が効果的に外部に放出されるので、シューズの内部空間を常時快適なものにすることができるようになる。
【００３９】
また、この場合には、ミッドソール３の踵部に通気孔３ｂが形成されていることにより、シューズの踵着地の際には、シューズ踵部に作用する下方への押付力が、シューズ内部の湿気を通気孔３ｂを介してシューズ外部に押し出すように作用することになる。
【００４０】
さらに、この場合には、吸湿放湿体４が、通常ある程度の厚みが確保されているミッドソール３の足裏当接面に形成した凹部３ａ内に配置されているので、吸湿放湿体としての厚みを確保でき、これにより、吸湿量の絶対量を増大できる。
【００４１】
ここで、好ましい態様によるミッドソール構造体１におけるシューズ内部の水分の吸湿・放湿のメカニズムについて、さらに詳細に説明すると以下のようになる。
【００４２】
まず、液相の水分の場合には、シューズ内部で結露した液相の水分は、中敷７の表面における疎水性繊維からなる表面層で貯留されることなく、毛管現象および重力の作用によって中敷内部の吸湿放湿層の側に移動して該吸湿放湿層に吸収される。このとき、表面層と吸湿放湿層との間の繊維密度に疎密の差があることにより、吸湿放湿層および表面層による毛管拡散作用が増長される。水分を吸収した吸湿放湿層の内部では、吸湿放湿性繊維の官能基と水分子が化学結合しており、この化学結合が飽和状態に達すると、吸湿放湿性繊維の間に水滴となって入り込む。その後、吸湿放湿性繊維の放湿作用によって、吸湿放湿層の外部に速やかに放出される。吸湿放湿層の外部に放出された水分は、下層の親水性繊維からなる拡散層に吸収される。中敷７の拡散層に吸収された水分は、毛管現象、重力の作用および蒸発拡散作用によって速やかに外部に放出され、下方の中底６の側に移動する。
【００４３】
中底６の側に移動した水分は、その表面における疎水性繊維からなる表面層で貯留されることなく、同様に、毛管現象および重力の作用によって中底内部の吸湿放湿層に吸収されるとともに速やかに放出され、下層の親水性繊維からなる拡散層に吸収される。中底６の拡散層に吸収された水分は、毛管現象、重力の作用および蒸発拡散作用によって速やかに外部に放出され、下方の吸湿放湿体４の側に移動する。
【００４４】
吸湿放湿体４の側に移動した水分は、その表面における疎水性繊維からなる表面層で貯留されることなく、同様に、毛管現象および重力の作用によって内部の吸湿放湿層に吸収されるとともに速やかに放出され、下層の親水性繊維からなる拡散層に吸収される。吸湿放湿体４の拡散層に吸収された水分は、毛管現象、重力の作用および蒸発拡散作用によって速やかに外部に放出される。
【００４５】
吸湿放湿体４から放出された水分は、ミッドソール３の通気孔３ｂを通って速やかにシューズ外部に放出される。
【００４６】
次に、気相の水分の場合には、シューズ内部の気相の水分は、シューズ内外の湿度勾配により、中敷７の表面における疎水性繊維を透過して、中敷内部の吸湿放湿層に吸収されるとともに速やかに放出され、下層の親水性繊維からなる拡散層に吸収される。中敷７の拡散層に吸収された水分は、飽和後、水滴の状態となって拡散層の間に入り込み、その後、毛管現象、重力の作用および蒸発拡散作用によって速やかに外部に放出され、下方の中底６の側に移動する。
【００４７】
中底６の側に移動した水分は、その表面における疎水性繊維からなる表面層で貯留されることなく、中底内部の吸湿放湿層に吸収されるとともに速やかに放出され、下層の親水性繊維からなる拡散層に吸収される。中底６の拡散層に吸収された水分は、毛管現象、重力の作用および蒸発拡散作用によって速やかに外部に放出され、下方の吸湿放湿体４の側に移動する。
【００４８】
吸湿放湿体４の側に移動した水分は、その表面における疎水性繊維からなる表面層で貯留されることなく、毛管現象および重力の作用によって内部の吸湿放湿層に吸収されるとともに速やかに放出され、下層の親水性繊維からなる拡散層に吸収される。吸湿放湿体４の拡散層に吸収された水分は、毛管現象、重力の作用および蒸発拡散作用によって速やかに外部に放出される。
【００４９】
吸湿放湿体４から放出された水分は、ミッドソール３の通気孔３ｂを通って速やかにシューズ外部に放出される。
【００５０】
〔第２の実施態様〕
図２は、本発明の第２の実施態様によるシューズのミッドソール構造を説明するための図であって、シューズの踵部の横断面を示している。同図において、前記第１の実施態様と同一符号は、同一または相当部分を示している。
【００５１】
前記第１の実施態様では、図１に示したように、甲被部２の底部２ａの端部が中底６の端部と突き合わされて縫製されることにより、これら全体が袋状に構成されたものを示したが、この第２の実施態様では、図２に示すように、甲被部２の底部２ａが中底６の底面側に吊り込まれた状態で、甲被部底部２ａが中底６に接着されている。
【００５２】
この第２の実施態様によるミッドソール構造体１においても、前記第１の実施態様と同様に、吸湿放湿性繊維を含む吸湿放湿体４がミッドソール３の足裏当接側の面に配置されて足裏当接側に露出しているので、シューズ内部の湿気は、中敷７および中底６から直接吸湿放湿体４に速やかに吸収されるようになる。これにより、シューズ内部の湿気を効果的に減少させることができる。一方、吸湿放湿体４に吸収された湿気は、ミッドソール３に形成された通気孔３ｂを介して速やかに外部に放出される。このようにして、シューズ内部の湿気が効果的に外部に放出されるので、シューズの内部空間を常時快適なものにすることができるようになる。
【００５３】
また、前記第１の実施態様と同様に、通気孔３ｂがミッドソール３の踵部に形成されているので、シューズの踵着地の際には、シューズ踵部に作用する下方への押付力が、シューズ内部の湿気を通気孔３ｂを介して効果的にシューズ外部に押し出すように作用することになる。
【００５４】
さらに、この場合においても、吸湿放湿体４がミッドソール３の足裏当接面に形成された凹部３ａ内に配置されていることにより、吸湿放湿体としての厚みを確保でき、吸湿量の絶対量を増大できる。
【００５５】
なお、この場合には、中底６の下層に疎水性繊維を配置するようにすると、甲被部底部２ａを水溶性接着剤で中底６に接着する際に、中底６内部に接着剤が滲み込みにくくなって、甲被部底部２ａと中底６との接着性を向上できる。
【００５６】
〔第３の実施態様〕
図３は、本発明の第３の実施態様によるシューズのミッドソール構造を説明するための図であって、シューズの踵部の横断面を示している。同図において、前記第１および第２の実施態様と同一符号は、同一または相当部分を示している。
【００５７】
前記第１および第２の実施態様では、図１および図２に示したように、吸湿放湿体４が、ミッドソール３の足裏当接側の面に形成された凹部３ａ内に配置された例を示したが、この第３の実施態様では、図３に示すように、吸湿放湿体４が、ミッドソール３の足裏当接側の面３ｃの上に直接配置されている。なお、甲被部２の底部２ａの端面と中底６の端面とが突き合わされて両部材が袋状に縫製されている点は、前記第１の実施態様と同様である。
【００５８】
この第３の実施態様によるミッドソール構造体１においても、前記第１の実施態様と同様に、吸湿放湿性繊維を含む吸湿放湿体４がミッドソール３の足裏当接側の面に配置されて足裏当接側に露出するとともに中底６の下面と密着しているので、シューズ内部の湿気は、中敷７および中底６から直接吸湿放湿体４に速やかに吸収されるようになる。これにより、シューズ内部の湿気を効果的に減少させることができる。一方、吸湿放湿体４に吸収された湿気は、ミッドソール３に形成された通気孔３ｂを介して速やかに外部に放出される。このようにして、シューズ内部の湿気が効果的に外部に放出されるので、シューズの内部空間を常時快適なものにすることができるようになる。
【００５９】
また、前記第１の実施態様と同様に、通気孔３ｂがミッドソール３の踵部に形成されているので、シューズの踵着地の際には、シューズ踵部に作用する下方への押付力が、シューズ内部の湿気を通気孔３ｂを介して効果的にシューズ外部に押し出すように作用することになる。
【００６０】
〔第４の実施態様〕
図４は、本発明の第４の実施態様によるシューズのミッドソール構造を説明するための図であって、シューズの踵部の横断面を示している。同図において、前記第１ないし第３の実施態様と同一符号は、同一または相当部分を示している。
【００６１】
前記第１ないし第３の実施態様では、図１ないし図３に示すように、通気孔３ｂが接地面側に開口する例を示したが、この第４の実施態様では、図４に示すように、ミッドソール３内部に幅方向（同図左右方向）の貫通孔（通気孔）３ｄを形成して、貫通孔３ｄ内に延びるプレート状部材８を設けるとともに、プレート部材８の左右両側部に巻上げ部８０を一体に形成して、該巻上げ部８０とミッドソール側面３ｅとの間に隙間を形成することにより、この隙間を通気孔８０ａとしている。
【００６２】
したがって、この場合には、シューズ内部の湿気は、前記第１の実施態様と同様に中敷７および中底６から直接吸湿放湿体４に速やかに吸収されるが、吸湿放湿体４に吸収された湿気は、ミッドソール３内部の貫通孔３ｄを通って通気孔８０ａから甲被部２の側面を通ってシューズ外部に放出されることになる。このように、通気孔８０ａのシューズ外部への開口端が甲被部２の側に配置されているので、シューズ外部の水分が該開口端からシューズ内部に浸入しにくくなっている。
【００６３】
〔その他の実施態様〕
前記第１ないし第３の実施態様では、接地面側に開口する通気孔３ｂをミッドソール３の踵部に形成した例を示したが、このような通気孔は、ミッドソール３の中足部および前足部にも設けるようにしてもよい。
【００６４】
通気孔をミッドソール３の中足部に形成した場合には、シューズの靴底全体で着地する際に、すなわち、いわゆるフットフラット時において、シューズ中足部に作用する下方への押付力が、シューズ内部の湿気を中足部の通気孔を介してシューズ外部に押し出すように作用することになる。また、通気孔をミッドソール３の前足部とくに踏付部に形成した場合には、接地面を蹴り出す際に、シューズ踏付部に作用する下方への押付力が、シューズ内部の湿気を踏付部の通気孔を介してシューズ外部に押し出すように作用することになる。
【００６５】
あるいは、接地面側に開口しない通気孔（つまり盲穴）をミッドソール３の前足部に形成し、この盲穴と連通しかつ前後方向に延びる通気溝をミッドソールの前足部から中足部（または踵部）にかけて形成するとともに、この通気溝を、ミッドソール３の中足部（または踵部）において接地面側に開口する通気孔に連通させるようにしてもよい。
【００６６】
この場合には、前足部側の通気孔が接地面側に開口していないことにより、シューズの前足部の接地の際に、シューズ外部の水がシューズの前足部の接地面からシューズ内部に進入するのを防止できる。また、この場合、接地面の蹴り出し時に前足部の通気孔に押し出されたシューズ内部の湿気は、シューズ前後方向の通気溝を通って、中足部または踵部の通気孔からシューズ外部に排出されることになる。
【００６７】
【発明の効果】
以上のように、本発明に係るミッドソール構造によれば、吸湿放湿性繊維を含む吸湿放湿層をミッドソールの足裏当接側の面に配置するとともに、吸湿放湿層の側に開口する通気孔をミッドソールに形成したので、シューズ内部の湿気を直接吸湿放湿層で速やかに吸収でき、シューズ内部の湿気を効果的に減少できるとともに、吸湿放湿層に吸収された湿気をミッドソールの通気孔を介して速やかに外部に放出でき、このようにして、シューズの内部空間を常時快適にすることができる効果がある。
【図面の簡単な説明】
【図１】本発明の第１の実施態様によるミッドソール構造を含むシューズの踵部の横断面図である。
【図２】本発明の第２の実施態様によるミッドソール構造を含むシューズの踵部の横断面図である。
【図３】本発明の第３の実施態様によるミッドソール構造を含むシューズの踵部の横断面図である。
【図４】本発明の第４の実施態様によるミッドソール構造を含むシューズの踵部の横断面図である。
【符号の説明】
１：  ミッドソール構造体
２：  甲被部
３：  ミッドソール
３ａ：  凹部
３ｂ：  通気孔
３ｃ：  足裏当接側面
３ｄ：  貫通孔（通気孔）
４：  吸湿放湿層
６：  中底
７：  中敷
８０ａ：  通気孔
【図１】
2004283430.tif 000003
【図２】
2004283430.tif 000004
【図３】
2004283430.tif 000005
【図４】
2004283430.tif 000006